【手続補正書】
【提出日】平成19年9月19日(2007.9.19)
【手続補正１】
【補正対象書類名】明細書
【補正対象項目名】特許請求の範囲
【補正方法】変更
【補正の内容】
【特許請求の範囲】
【請求項１】  バッテリ及び商用電源を電源供給源とし、
前記電源供給源による電源供給をオンまたはオフする電源スイッチと、
使用者を識別する情報を記憶するための識別情報記憶手段と、を備える情報処理装置において、
前記電源スイッチによって電源供給がオンされた際、商用電源が接続されているか判別する電源判別手段と、
前記電源判別手段によって商用電源が接続されていないと判別された場合、使用者が正当な権限を有しているか否かを識別するための情報を入力するよう促すメッセージを出力するメッセージ出力手段と、
使用者を識別する情報を入力する識別情報入力手段と、
前記識別情報記憶手段に予め記憶されている情報と、前記識別情報入力手段によって入力された情報とが一致するか判別する一致判別手段と、を含むことを特徴とする情報処理装置。
【請求項２】  特定の使用者の情報を記憶する使用者情報記憶手段と、
前記一致判別手段によって一致しないと判別された場合、前記使用者情報記憶手段に予め記憶されている情報を出力する使用者情報出力手段とを更に含むことを特徴とする請求項１記載の情報処理装置。
【請求項３】  特定の使用者の情報を記憶する使用者情報記憶手段と、
前記メッセージ出力手段によってメッセージが出力された時から所定時間以内に、前記識別情報入力手段によって使用者を識別する情報が入力されたか判別する時間判別手段と、
前記時間判別手段によって、所定時間以内に入力されなかったと判別された場合、前記使用者情報記憶手段に予め記憶されている情報を出力する使用者情報出力手段とを更に含むことを特徴とする請求項１記載の情報処理装置。
【請求項４】  前記メッセージ出力手段の実行時にセットされ、前記識別情報記憶手段に予め記憶されている情報と、前記識別情報入力手段によって入力された情報とが一致すると前記一致判別手段が判別したときにリセットされる、履歴情報を記憶する履歴情報記憶手段を更に含み、
前記電源判別手段による判別に先立ち、前記履歴情報記憶手段に記憶されている履歴情報が、セット状態か否かを判定するとともに、当該判定結果がリセット状態であるとき、当該電源判別手段による判別が実行され、
前記電源判別手段により、商用電源が接続されていると判別された場合には、システムを起動することを特徴とする請求項１乃至請求項３の何れか１項に記載の情報処理装置。
【手続補正２】
【補正対象書類名】明細書
【補正対象項目名】００１２
【補正方法】変更
【補正の内容】
【００１２】
【課題を解決するための手段】
上記目的を達成するため、本発明は、バッテリ及び商用電源を電源供給源とし、前記電源供給源による電源供給をオンまたはオフする電源スイッチと、使用者を識別する情報を記憶するための識別情報記憶手段と、を備える情報処理装置において、前記電源スイッチによって電源供給がオンされた際、商用電源が接続されているか判別する電源判別手段と、前記電源判別手段によって商用電源が接続されていないと判別された場合、使用者が正当な権限を有しているか否かを識別するための情報を入力するよう促すメッセージを出力するメッセージ出力手段と、使用者を識別する情報を入力する識別情報入力手段と、前記識別情報記憶手段に予め記憶されている情報と、前記識別情報入力手段によって入力された情報とが一致するか判別する一致判別手段とを含む。
【手続補正３】
【補正対象書類名】明細書
【補正対象項目名】００１３
【補正方法】変更
【補正の内容】
【００１３】
ある局面から観ると、上記情報処理装置は、特定の使用者の情報を記憶する使用者情報記憶手段と、前記一致判別手段によって一致しないと判別された場合、前記使用者情報記憶手段に予め記憶されている情報を出力する使用者情報出力手段とを更に含む。
【手続補正４】
【補正対象書類名】明細書
【補正対象項目名】００１４
【補正方法】変更
【補正の内容】
【００１４】
他の局面から観ると、上記情報処理装置は、特定の使用者の情報を記憶する使用者情報記憶手段と、前記メッセージ出力手段によってメッセージが出力された時から所定時間以内に、前記識別情報入力手段によって使用者を識別する情報が入力されたか判別する時間判別手段と、前記時間判別手段によって、所定時間以内に入力されなかったと判別された場合、前記使用者情報記憶手段に予め記憶されている情報を出力する使用者情報出力手段とを更に含む。
【手続補正５】
【補正対象書類名】明細書
【補正対象項目名】００１５
【補正方法】変更
【補正の内容】
【００１５】
また、上記情報処理装置は、前記メッセージ出力手段の実行時にセットされ、前記識別情報記憶手段に予め記憶されている情報と、前記識別情報入力手段によって入力された情報とが一致すると前記一致判別手段が判別したときにリセットされる、履歴情報を記憶する履歴情報記憶手段を更に含み、前記電源判別手段による判別に先立ち、前記履歴情報記憶手段に記憶されている履歴情報が、セット状態か否かを判定するとともに、当該判定結果がリセット状態であるとき、当該電源判別手段による判別が実行され、前記電源判別手段により、商用電源が接続されていると判別された場合には、システムを起動する。
【手続補正６】
【補正対象書類名】明細書
【補正対象項目名】００３３
【補正方法】変更
【補正の内容】
【００３３】
（１）ＡＣアダプタを接続して商用電源を電源供給源として情報処理装置を自宅で使用する場合は、電源投入時に識別情報の入力が使用者に促されず、逆に情報処理装置を携帯していて外出先でバッテリを電源供給源として使用する場合は、電源投入時に識別情報の入力が使用者に促され、識別情報の入力が認証された場合に限って情報処理装置の使用が可能となるため、外出時のセキュリティを損なうことなく自宅等での使い勝手を向上させることができる。
【手続補正７】
【補正対象書類名】明細書
【補正対象項目名】００３４
【補正方法】変更
【補正の内容】
【００３４】
（２）予め情報処理装置に特定の使用者の情報を記憶させておけば、電車やバスに情報処理装置を置き忘れた場合、拾い主により入力された識別情報が認証されなくても、持ち主の連絡先等の情報が出力されることになり、誰の持ち物であるかがすぐにわかり、情報処理装置が持ち主に返却されることが容易になる。
【手続補正８】
【補正対象書類名】明細書
【補正対象項目名】００３５
【補正方法】変更
【補正の内容】
【００３５】
（３）予め情報処理装置に特定の使用者の情報を記憶させておけば、電車やバスに情報処理装置を置き忘れた場合、識別情報が入力されずに情報処理装置が放置されても、持ち主の連絡先等の情報が出力されることになり、情報処理装置が持ち主に返却されることが容易になる。
【手続補正９】
【補正対象書類名】明細書
【補正対象項目名】００３６
【補正方法】変更
【補正の内容】
【００３６】
（４）バッテリによるシステム起動時での識別情報の認証が確定していない場合は、商用電源による起動でも認証制御が行なわれる（換言すると、バッテリによるシステム起動時での識別情報の認証に異常をきたしていない限り、商用電源での起動では認証制御は行なわれない）ので、拾い主がＡＣアダプタを接続せずにバッテリを電源供給源として電源投入後、識別情報が分からずに識別情報入力待ちの状態で電源断すると、そのことが記憶され、次回電源投入時にはＡＣアダプタを接続して商用電源を電源供給源としても、持ち主の情報のみが表示されることとなり、個人情報を拾い主に知られないようにすることが可能となり、情報処理装置が持ち主に返却されることが容易になる。